(57)【特許請求の範囲】
【請求項１】
計測領域内のエネルギ使用量に応じた計測信号を出力する計測器と、計測領域を区分けした分割区画内の人体の有無に応じた検出信号を出力する検出器と、計測信号及び検出信号に基づくエネルギ使用量の算出処理を含む処理を実行する情報処理装置と、算出したエネルギ使用量を含むデータを記憶する記憶装置とを用いて、分割区画別のエネルギ使用量を計測するエネルギ使用量計測方法であって、
人体の有無が変化する都度、人体の有無が変化した分割区画の識別子及び計測信号に基づくエネルギ使用量を記憶装置に記憶するステップと、
分割区画毎の人体の有無の変化及び計測領域内全体のエネルギ使用量の変化量に基づいて、各分割区画の人体の有無別のエネルギ使用量を情報処理装置で算出するステップと
を有することを特徴とするエネルギ使用量計測方法。
【請求項２】
計測領域内のエネルギ使用量に応じた計測信号を出力する計測器と、計測領域を区分けした分割区画内の人体の有無に応じた検出信号を出力する検出器と、計測信号及び検出信号に基づくエネルギ使用量の算出処理を含む処理を実行する情報処理装置と、算出したエネルギ使用量を含むデータを記憶する記憶装置とを用いて、各分割区画の人体の有無別のエネルギ使用量を計測するエネルギ使用量計測方法であって、
計測信号に基づく計測領域内全体のエネルギ使用量及び該エネルギ使用量の計測時刻を記憶装置に記憶するステップと、
分割区画毎に、検出信号に基づく人体の検出時刻を記憶装置に記憶するステップと、
記憶した計測領域内全体のエネルギ使用量及び計測時刻、並びに分割区画毎の人体の検出時刻の関係に基づいて、分割区画毎に人体の有無別のエネルギ使用量を情報処理装置で算出するステップと
を有することを特徴とするエネルギ使用量計測方法。
【請求項３】
計測領域内のエネルギ使用量に応じた計測信号及び計測領域を区分けした分割区画内の人体の有無に応じた検出信号を受付けて、分割区画別のエネルギ使用量を計測するエネルギ使用量計測装置であって、
分割区画内の人体の有無が変化する都度、人体の有無が変化した分割区画の識別子及び計測信号に基づく計測領域内全体のエネルギ使用量を記憶する使用量記憶手段と、
分割区域毎の人体の有無の変化及び計測領域内全体のエネルギ使用量の変化量に基づいて、各分割区域の人体の有無別のエネルギ使用量を算出する算出手段と
を備えることを特徴とするエネルギ使用量計測装置。
【請求項４】
計測領域内のエネルギ使用量に応じた計測信号及び計測領域を区分けした分割区画内の人体の有無に応じた検出信号を受付けて、各分割区画の人体の有無別のエネルギ使用量を計測するエネルギ使用量計測装置であって、
計測信号に基づく計測領域内全体のエネルギ使用量及び該エネルギ使用量の計測時刻を記憶する使用量記憶手段と、
分割区画毎に、検出信号に基づく人体の検出時刻を記憶する検出時刻記憶手段と、
記憶した計測領域内全体のエネルギ使用量及び計測時刻、並びに分割区域毎の人体の検出時刻の関係に基づいて、分割区画毎に人体の有無別のエネルギ使用量を算出する算出手段と
を備えることを特徴とするエネルギ使用量計測装置。
【請求項５】
計測領域内のエネルギ使用量に応じた計測信号を出力する計測手段と、
計測領域を区分けした分割区画内の人体の有無に応じた検出信号を出力する検出手段と、
請求項３又は４に記載のエネルギ使用量計測装置と
を備え、各分割区画の人体の有無別のエネルギ使用量を計測すべくなしてあることを特徴とするエネルギ使用量計測システム。
【請求項６】
人体を識別する識別手段を備え、
人体別又は単位人数のエネルギ使用量を計測すべくなしてあることを特徴とする請求項５記載のエネルギ使用量計測システム。
【請求項７】
前記検出手段は、計測領域又は分割区画への侵入者を検出する防犯用センサを含むことを特徴とする請求項５又は６記載のエネルギ使用量計測システム。
【請求項８】
請求項５〜７のいずれかに記載のエネルギ使用量計測システムと、
エネルギ使用量計測システムで計測されたエネルギ使用量を受付けて診断する診断装置と
を備え、計測領域又は各分割区画の人体の有無別にエネルギ使用量を診断すべくなしてあることを特徴とするエネルギ使用量診断システム。
【発明の詳細な説明】
【０００１】
【発明の属する技術分野】
本発明は、エネルギ使用量を計測するエネルギ使用量計測方法、装置、システムと、エネルギ使用量を診断するエネルギ使用量診断システムに関する。
【０００２】
【発明が解決しようとする課題】
省エネルギは環境保全及び経済性の両面から重要であり、こまめに消灯する、暖房温度の設定値を低くする等の取り組みが行われている。省エネルギへの取り組みを評価する指標の一つとして、エネルギ使用量が用いられている。例えば、エネルギ使用量が減少した場合、省エネルギへの取り組みが効果を上げていると評価することができる。
【０００３】
しかし、多くの場合は、家屋等の計測領域を一まとめにしてエネルギ使用量を計測しており、計測領域を区分けした部屋等の分割区画のエネルギ使用量は不明である。そのため、エネルギ使用量が平均を超えている場合であっても、浪費の多い部屋（浪費の原因）を特定することはできず、適切な対策又は改善を行うことはできない。
【０００４】
部屋毎のエネルギ使用量を計測することを目的として、分電盤から配電される区画毎にエネルギ使用量を計測することも行われている。区画毎のエネルギ使用量を計測することにより、区画に対応する部屋のエネルギ使用量を計測することができる。
【０００５】
しかし、上述した方法では、分電盤に区画毎のエネルギ使用量を計測する計測器を取付ける必要があり、取付けに手間がかかり、さらにコストも上昇する。また、分電盤から配電される１区画に複数の部屋が含まれることも多々あり、部屋毎のエネルギ使用量を計測できない場合も多い。
【０００６】
本発明は斯かる事情に鑑みてなされたものであり、人体の有無が変化する都度、人体の有無が変化した分割区画の識別子及び全体のエネルギ使用量を記憶装置に記憶し、人体の有無の変化による全体のエネルギ使用量の変化量を情報処理装置で算出することにより、分割区画別のエネルギ使用量を計測できるエネルギ使用量計測方法を提供することを目的とする。
【０００７】
また、本発明は、エネルギ使用量及び該エネルギ使用量の計測時刻を記憶装置に記憶し、分割区画毎に人体の検出時刻を記憶装置に記憶し、記憶したエネルギ使用量、計測時刻及び検出時刻に基づいて各分割区画の人体の有無別のエネルギ使用量を情報処理装置で算出することにより、各分割区画の人体の有無別のエネルギ使用量を計測できるエネルギ使用量計測方法を提供することを目的とする。
【０００８】
また、本発明は、人体の有無別にエネルギ使用量を記憶する使用量記憶手段を備えることにより、人体の有無別のエネルギ使用量を計測できるエネルギ使用量計測装置を提供することを目的とする。
【０００９】
また、本発明は、エネルギ使用量及び該エネルギ使用量の計測時刻を記憶する使用量記憶手段と、人体の検出時刻を記憶する検出時刻記憶手段と、記憶したエネルギ使用量、計測時刻及び検出時刻に基づいて、人体の有無別のエネルギ使用量を算出する算出手段とを備えることにより、人体の有無別のエネルギ使用量を計測できるエネルギ使用量計測装置を提供することを目的とする。
【００１０】
また、本発明は、人体の有無が変化する都度、人体の有無が変化した分割区画の識別子及び全体のエネルギ使用量を記憶する使用量記憶手段と、人体の有無が変化した場合の全体のエネルギ使用量の変化量を算出する算出手段とを備えることにより、分割区画別のエネルギ使用量を計測できるエネルギ使用量計測装置を提供することを目的とする。
【００１１】
また、本発明は、エネルギ使用量及び該エネルギ使用量の計測時刻を記憶する使用量記憶手段と、分割区画毎に人体の検出時刻を記憶する検出時刻記憶手段と、記憶したエネルギ使用量、計測時刻及び検出時刻に基づいて、各分割区画の人体の有無別のエネルギ使用量を算出する算出手段とを備えることにより、各分割区画の人体の有無別のエネルギ使用量を計測できるエネルギ使用量計測装置を提供することを目的とする。
【００１２】
また、本発明は、計測領域内のエネルギ使用量に応じた計測信号を出力する計測手段と、計測領域又は該計測領域を区分けした分割区画内の人体の有無に応じた検出信号を出力する検出手段と、上述したエネルギ使用量計測装置とを備えることにより、計測領域又は各分割区画の人体の有無別のエネルギ使用量を計測できるエネルギ使用量計測システムを提供することを目的とする。
【００１３】
また、本発明は、人体を識別する識別手段を備えることにより、人体別又は単位人数のエネルギ使用量を計測できるエネルギ使用量計測システムを提供することを目的とする。
【００１４】
また、本発明は、検出手段として、計測領域又は分割区画への侵入者を検出する防犯用センサを用いることにより、防犯用センサが既設の場合に低コストで容易に導入できるエネルギ使用量計測システムを提供することを目的とする。
【００１５】
また、本発明は、上述したエネルギ使用量計測システムと、エネルギ使用量計測システムで計測されたエネルギ使用量を受付けて診断する診断装置とを備えることにより、計測領域又は各分割区画の人体の有無別にエネルギ使用量を診断できるエネルギ使用量診断システムを提供することを目的とする。
【００１６】
【課題を解決するための手段】
第１発明に係るエネルギ使用量計測方法は、計測領域内のエネルギ使用量に応じた計測信号を出力する計測器と、計測領域を区分けした分割区画内の人体の有無に応じた検出信号を出力する検出器と、計測信号及び検出信号に基づくエネルギ使用量の算出処理を含む処理を実行する情報処理装置と、算出したエネルギ使用量を含むデータを記憶する記憶装置とを用いて、分割区画別のエネルギ使用量を計測するエネルギ使用量計測方法であって、人体の有無が変化する都度、人体の有無が変化した分割区画の識別子及び計測信号に基づくエネルギ使用量を記憶装置に記憶するステップと、分割区画毎の人体の有無の変化及び計測領域内全体のエネルギ使用量の変化量に基づいて、各分割区画の人体の有無別のエネルギ使用量を情報処理装置で算出するステップとを有することを特徴とする。
【００１７】
第１発明においては、人体の有無が変化する都度、人体の有無が変化した分割区画の識別子及び計測信号に基づくエネルギ使用量を記憶装置に記憶し、人体の有無の変化によるエネルギ使用量の変化量を情報処理装置で算出する。人体の有無が変化した分割区画は、例えば人（人体）が入ってきたことにより電灯又は冷暖房が始動される、または人が出ていったことにより電灯又は冷暖房が停止されるため、エネルギ使用量が増加又は減少すると考えられる。人体の有無の変化によるエネルギ使用量の変化量（増加又は減少の絶対値）を、分割区画別のエネルギ使用量と見なすことができる。
【００１８】
第２発明に係るエネルギ使用量計測方法は、計測領域内のエネルギ使用量に応じた計測信号を出力する計測器と、計測領域を区分けした分割区画内の人体の有無に応じた検出信号を出力する検出器と、計測信号及び検出信号に基づくエネルギ使用量の算出処理を含む処理を実行する情報処理装置と、算出したエネルギ使用量を含むデータを記憶する記憶装置とを用いて、各分割区画の人体の有無別のエネルギ使用量を計測するエネルギ使用量計測方法であって、計測信号に基づく計測領域内全体のエネルギ使用量及び該エネルギ使用量の計測時刻を記憶装置に記憶するステップと、分割区画毎に、検出信号に基づく人体の検出時刻を記憶装置に記憶するステップと、記憶した計測領域内全体のエネルギ使用量及び計測時刻、並びに分割区画毎の人体の検出時刻の関係に基づいて、分割区画毎に人体の有無別のエネルギ使用量を情報処理装置で算出するステップとを有することを特徴とする。
【００１９】
第２発明においては、計測信号に基づくエネルギ使用量及び該エネルギ使用量の計測時刻と、各分割区画の検出信号に基づく人体の検出時刻とを記憶装置に記憶し、記憶したエネルギ使用量、計測時刻及び検出時刻に基づいて、各分割区画の人体の有無別のエネルギ使用量を情報処理装置で算出する。計測時刻と検出時刻とを対応させることにより、エネルギ使用量が計測されたときの各分割区画の人体の有無を特定できる。例えば、人体の有無別に、単位時間あたりのエネルギ使用量を算出することができる。
【００２４】
第３発明に係るエネルギ使用量計測装置は、計測領域内のエネルギ使用量に応じた計測信号及び計測領域を区分けした分割区画内の人体の有無に応じた検出信号を受付けて、分割区画別のエネルギ使用量を計測するエネルギ使用量計測装置であって、分割区画内の人体の有無が変化する都度、人体の有無が変化した分割区画の識別子及び計測信号に基づく計測領域内全体のエネルギ使用量を記憶する使用量記憶手段と、分割区域毎の人体の有無の変化及び計測領域内全体のエネルギ使用量の変化量に基づいて、各分割区域の人体の有無別のエネルギ使用量を算出する算出手段とを備えることを特徴とする。
【００２５】
第３発明においては、使用量記憶手段により、人体の有無が変化する都度、エネルギ使用量が記憶される。また、算出手段により、人体の有無が変化した場合のエネルギ使用量の変化量が算出される。人体の有無が変化した分割区画は、例えば人（人体）が入ってきたことにより電灯又は冷暖房が始動される、または人が出ていったことにより電灯又は冷暖房が停止されるため、エネルギ使用量が増加又は減少すると考えられる。人体の有無の変化によるエネルギ使用量の変化量（増加又は減少の絶対値）を、分割区画別のエネルギ使用量と見なすことができる。
【００２６】
第４発明に係るエネルギ使用量計測装置は、計測領域内のエネルギ使用量に応じた計測信号及び計測領域を区分けした分割区画内の人体の有無に応じた検出信号を受付けて、各分割区画の人体の有無別のエネルギ使用量を計測するエネルギ使用量計測装置であって、計測信号に基づく計測領域内全体のエネルギ使用量及び該エネルギ使用量の計測時刻を記憶する使用量記憶手段と、分割区画毎に、検出信号に基づく人体の検出時刻を記憶する検出時刻記憶手段と、記憶した計測領域内全体のエネルギ使用量及び計測時刻、並びに分割区域毎の人体の検出時刻の関係に基づいて、分割区画毎に人体の有無別のエネルギ使用量を算出する算出手段とを備えることを特徴とする。
【００２７】
第４発明においては、使用量記憶手段にエネルギ使用量及び計測時刻が記憶され、検出時刻記憶手段に分割区画毎の人体の検出時刻が記憶され、算出手段により、記憶したエネルギ使用量、計測時刻及び検出時刻とに基づいて、各分割区画の人体の有無別のエネルギ使用量を算出する。計測時刻と検出時刻とを対応させることにより、エネルギ使用量が計測されたときの各分割区画の人体の有無を特定できる。例えば、人体の有無別に、単位時間あたりのエネルギ使用量を算出することができる。
【００２８】
第５発明に係るエネルギ使用量計測システムは、計測領域内のエネルギ使用量に応じた計測信号を出力する計測手段と、計測領域を区分けした分割区画内の人体の有無に応じた検出信号を出力する検出手段と、請求項３又は４に記載のエネルギ使用量計測装置とを備え、各分割区画の人体の有無別のエネルギ使用量を計測すべくなしてあることを特徴とする。
【００２９】
第５発明においては、計測手段から出力された計測信号及び検出手段から出力された検出信号に基づいて、第３又は第４発明のいずれかのエネルギ使用量計測装置により、計測領域又は各分割区画の人体の有無別のエネルギ使用量を計測する。計測手段は、所定時間間隔でエネルギ使用量に応じた検出信号を出力すること、エネルギ使用量が所定量増加する毎に検出信号を出力すること、またはエネルギ使用量の累計値に応じた検出信号を出力すること等ができる。また、検出手段は、人体を検出している間は検出信号を出力すること等ができる。
【００３０】
第６発明に係るエネルギ使用量計測システムは、第５発明において、人体を識別する識別手段を備え、人体別又は単位人数のエネルギ使用量を計測すべくなしてあることを特徴とする。
【００３１】
第６発明においては、識別手段により、人体の識別を行う。人体の有無別のエネルギ使用量の計測と同様にして、人体別又は単位人数のエネルギ使用量を計測することができる。例えば計測領域又は分割区画の入口にＩＣカード又は指紋認識等の認証装置が設けられている場合は、前記認証装置を識別手段として利用することができる。また、例えば部屋（分割区画）への入室者（人体）に無線信号発信器を携帯させ、無線信号発信器の出力を識別手段で受信及び識別することもできる。この場合は、検出手段及び識別手段を一体的に構成することもできる。
【００３２】
第７発明に係るエネルギ使用量計測システムは、第５又は第６発明において、前記検出手段は、計測領域又は分割区画への侵入者を検出する防犯用センサを含むことを特徴とする。
【００３３】
第７発明においては、検出手段として、計測領域又は分割区画への侵入者を検出する防犯用センサを用いる。防犯用センサが既に設置されている場合は、既設の防犯用センサを用いて、人体の有無を検出することができ、エネルギ使用量計測システムを低コストかつ容易に導入することができる。
【００３４】
第８発明に係るエネルギ使用量診断システムは、第５〜第７発明のいずれかのエネルギ使用量計測システムと、エネルギ使用量計測システムで計測されたエネルギ使用量を受付けて診断する診断装置とを備え、計測領域又は各分割区画の人体の有無別にエネルギ使用量を診断すべくなしてあることを特徴とする。
【００３５】
第８発明においては、第５〜第７発明のいずれかのエネルギ使用量計測システムにより、計測領域又は各分割区画の人体の有無別のエネルギ使用量が計測される。計測したエネルギ使用量は、診断装置で受付けて診断される。診断装置は、計測領域又は各分割区画の人体の有無別に、エネルギ使用量を診断する。例えば、エネルギ使用量が標準値を超えている分割区画に対して改善のアドバイスを行うこと等ができる。
【００３６】
【発明の実施の形態】
以下、本発明をその実施の形態を示す図面に基づいて具体的に説明する。本実施の形態では、顧客宅（計測領域）を部屋Ａ，Ｂ，Ｃ，居間，台所，風呂場の６つの区画（分割区画）に区分けした場合を例にして説明を行う。
【００３７】
（第１の実施の形態）
本発明に係るエネルギ使用量計測システム及び装置の構成例を図１に示す。エネルギ使用量計測システムは、顧客宅に設けられ、計測器（計測手段）２６とセンサ（検出手段）２８とコントローラ（エネルギ使用量計測装置）３０とを含む。また、本発明に係るエネルギ使用量計測システムを備えたエネルギ使用量診断システムの構成例を図２に示す。エネルギ使用量計測システムのコントローラ３０はインターネット等の通信ネットワーク２０を介して管理サーバ（診断装置）１０と接続されている。
【００３８】
顧客宅には、在室者（人体）の有無を検出するセンサ２８（センサＡ，Ｂ，Ｃ，Ｄ，Ｅ，Ｆ）が、部屋Ａ，Ｂ，Ｃ，居間，台所，風呂場に夫々設けられている。センサ２８として、例えば赤外線センサ又は熱感知センサ等を用いることができる。または、監視カメラ等の撮像装置の撮像画像中の動きの検出により、在室者を検出することもできる。
【００３９】
センサ２８は、防犯用センサを利用することができる。例えば、防犯用センサが既に設けられている場合は、既設の防犯用センサを用いて在室者を検出することができる。逆に、本発明に係るセンサ２８を、防犯用センサに用いることも可能である。センサ２８は、コントローラ３０の制御部４０に接続されている。
【００４０】
顧客宅には、エネルギ使用量に応じた信号を出力する計測器（計測手段）２６が設けられている。計測器２６は、電力メータ，ガスメータ，水道メータ等を含み、一定使用量毎にパルス信号を出力する。また、分電盤付近に電力計測装置（計測手段）を取付けること等も可能である。計測器２６は、コントローラ３０の制御部４０に接続されている。
【００４１】
コントローラ３０は、通信ネットワーク２０との通信制御を行う通信部３８、ボタン式スイッチ等の入力部３２と、表示パネル等の出力部３４と、ＲＯＭ，ＲＡＭ，フラッシュメモリ等の記憶部３６と、演算及び上述した各部３２，３４，３６，３８の制御を行う制御部４０とを備える。また、制御部４０は、計測器２６及びセンサ２８と接続され、計測器２６及びセンサ２８から出力された信号（計測信号、検出信号）を受付ける。
【００４２】
制御部４０は、入力部３２、通信部３８、計測器２６又はセンサ２８から受付けたデータ等を記憶部３６に記憶し、記憶部３６に記憶されたプログラムの実行又はデータの演算等の各種処理を行い、各種処理結果を記憶部３６に記憶する。記憶部３６に記憶された演算結果等のデータは、制御部４０により、出力部３４又は通信部３８から出力される。
【００４３】
記憶部３６には、エネルギ使用量が計測される顧客の属性が記憶される。属性は、入力部３２から入力される。属性には、独身，夫婦，高齢夫婦，夫婦と子供，高齢者同居等の家族構成及び家族人数等の住居人に関する情報と、木造又は鉄筋，一戸建て又は集合住宅，床面積等の家屋構造に関する情報と、住所等の地域に関する情報と、各区画（区画Ａ，Ｂ，Ｃ，Ｄ，Ｅ，Ｆ）の属性（属性Ａ，Ｂ，Ｃ，Ｄ，Ｅ，Ｆ）とが含まれる。属性Ａ〜Ｆには、各区画Ａ〜Ｆの床面積等の区画の情報と、例えばテレビ又はコンピュータ等のエネルギを使用する機器の情報等が含まれる。
【００４４】
また、記憶部３６は、在室者の有無が変化したときのエネルギ使用量及び前記在室者の有無が変化した区画の識別子を記憶する手段（使用量記憶手段）として動作する。記憶部３６に記憶されるエネルギ使用量及び区画（区画の識別子）の概要を図３（ａ）に示す。図３（ａ）において、「ＩＮ」は在室者が検出されていることを表し、「−」は在室者が検出されていないことを表す。使用量Ｅ１は、時刻Ｔ１〜Ｔ２（Ｔ１≦Ｔ＜Ｔ２）で計測されたエネルギ使用量を表す。
【００４５】
制御部４０は、記憶したエネルギ使用量及び区画に基づいて、区画別のエネルギ使用量を算出する手段（算出手段）として動作する。本実施の形態では、制御部４０は、在室者の有無の変化によるエネルギ使用量の変化量を算出する。
【００４６】
例えば、図３（ａ）に示した例では、時刻Ｔ２前後において、部屋Ａの在室者の有無のみが変化している。部屋Ａは、時刻Ｔ１〜Ｔ２では在室者が検出され、時刻Ｔ２〜Ｔ３では在室者が検出されておらず、時刻Ｔ１〜Ｔ２の単位時間あたりのエネルギ使用量
ΔＥ１＝Ｅ１÷（Ｔ２−Ｔ１）
から時刻Ｔ２〜Ｔ３の単位時間あたりのエネルギ使用量
ΔＥ２＝Ｅ２÷（Ｔ３−Ｔ２）
を減じた
ΔＥ＝ΔＥ１−ΔＥ２
は、部屋Ａの在室時の単位時間あたりのエネルギ使用量と見なすことができる。
【００４７】
同様に、時刻Ｔ５前後において、部屋Ｃの在室者の有無のみが変化している。部屋Ｃは、時刻Ｔ４〜Ｔ５では在室者が検出されず、時刻Ｔ５〜Ｔ６では在室者が検出されており、時刻Ｔ５〜Ｔ６の単位時間あたりのエネルギ使用量
ΔＥ５＝Ｅ５÷（Ｔ６−Ｔ５）
から時刻Ｔ４〜Ｔ５の単位時間あたりのエネルギ使用量
ΔＥ４＝Ｅ４÷（Ｔ５−Ｔ４）
を減じた
ΔＥ＝ΔＥ５−ΔＥ４
は、部屋Ｃの在室時の単位時間あたりのエネルギ使用量と見なすことができる。
【００４８】
在室者の有無の変化が時刻Ｔ（ｎ）前後で発生した場合、時刻Ｔ（ｎ−１）〜Ｔ（ｎ）の単位時間あたりのエネルギ使用量ΔＥ（ｎ−１）と、時刻Ｔ（ｎ）〜Ｔ（ｎ＋１）の単位時間あたりのエネルギ使用量ΔＥ（ｎ）との差
ΔＥ（ｎ−１）−ΔＥ（ｎ）
の絶対値より、在室者の有無が変化した区画の在室時の単位時間あたりのエネルギ使用量を求める。
【００４９】
制御部４０は、例えば１ヶ月単位に、記憶部３６に記憶されたエネルギ使用量及び出入時刻（人体の検出時刻）に基づいて、区画毎の単位時間あたりのエネルギ使用量を算出し、算出したエネルギ使用量の１ヶ月の平均値を求め、求めた平均値を記憶部３６に記憶する。
【００５０】
記憶部３６に記憶された各区画の単位時間あたりのエネルギ使用量の平均値は、制御部４０により、通信部３８から管理サーバ１０へ送信される。
【００５１】
管理サーバ１０は、通信ネットワーク２０との通信制御を行う通信手段１５と、マウス及びキーボード等の入力手段１６と、モニタ及びプリンタ等の出力手段１７と、ＤＲＡＭ等のＲＡＭ（Random Access Memory）１４と、ハードディスク１３と、フレキシブルディスクドライブ又はＣＤ−ＲＯＭドライブ等の外部記憶手段１２と、ＣＰＵ（Central Processing Unit）１１とを備える。
【００５２】
ＣＰＵ１１は、管理サーバ１０の上述した各部１２〜１７の制御を行う。また、ＣＰＵ１１は、入力手段１６又は通信手段１５から受取ったプログラム又はデータ、外部記憶手段１２又はハードディスク１３から読み出したプログラム又はデータ等を一旦ＲＡＭ１４に記憶し、ＲＡＭ１４に記憶されたプログラムの実行又はデータの演算等の各種処理を行い、各種処理結果又は各種処理に用いる一時的なデータをＲＡＭ１４に記憶する。ＲＡＭ１４に記憶された演算結果等のデータは、ＣＰＵ１１により、ハードディスク１３に記憶されたり、出力手段１７又は通信手段１５から出力される。
【００５３】
通信手段１５は、区画の属性及び該区画の単位時間あたりのエネルギ使用量をコントローラ３０から収集する。収集したエネルギ使用量は、ＣＰＵ１１により、ハードディスク１３に記憶される。図１及び図２には図示されていない多数の顧客宅から送られてきたエネルギ使用量も、同様にしてハードディスク１３に記憶される。
【００５４】
ＣＰＵ１１は、収集したエネルギ使用量及び属性に基づいて、属性及び区画別に診断の基準に用いる基準使用量を設定する。ＣＰＵ１１は、例えば、属性及び区画別に、エネルギ使用量の平均値を算出し、算出した平均値を基準使用量に設定する。設定した基準使用量は、ＣＰＵ１１により、ハードディスク１３に記憶される。基準使用量は、例えばエネルギ使用量の計測に合わせて、月単位で算出することができる。
【００５５】
また、通信手段１５は、コントローラ３０から、診断対象の属性及び各区画の単位時間あたりのエネルギ使用量を受付ける。受付けた属性及び各区画のエネルギ使用量は、ＣＰＵ１１により、ＲＡＭ１４に記憶される。ＣＰＵ１１は、受付けた属性及び区画に対応する基準使用量を、前記設定した基準使用量の中から選択し、ハードディスク１３からＲＡＭ１４に読み出す。
【００５６】
ＣＰＵ１１は、例えば基準使用量に対するエネルギ使用量の比を算出し、算出した比に応じてエネルギ使用量を診断し、診断結果を、通信手段１５からコントローラ３０へ送信する。比は、各区画別に算出され、比が小さいほど高い評価が与えられる。
【００５７】
送信した診断結果は、コントローラ３０の通信部３８で受信され、制御部４０により出力部３４へ送られ、診断結果が表示される。例えば、エネルギ使用量が平均を超えている区画に対しては、消費エネルギの大きい機器の交換を提案すること等ができる。
【００５８】
（第２の実施の形態）
第１の実施の形態では、在室者（人体）の有無が変化するごとにエネルギ使用量及び前記在室者の有無が変化した区画（区画の識別子）を記憶しているが、エネルギ使用量及び該エネルギ使用量の計測時刻と区画毎の出入時刻とを記憶し、記憶したエネルギ使用量、計測時刻及び出入時刻から各区画の在室者の有無別の単位時間あたりのエネルギ使用量を算出することもできる。
【００５９】
エネルギ使用量計測装置は、図１に示した第１の実施の形態と同様の構成であるが、記憶部（検出時刻記憶手段）３６には、図３（ｂ）に示すように、在室者の有無に基づいた出入時刻（人体の検出時刻）が区画毎に記憶され、また計測器２６で計測されたエネルギ使用量及び計測時刻が記憶される。制御部４０は、記憶したエネルギ使用量、計測時刻及び出入時刻に基づいて、各区画の在室者の有無別のエネルギ使用量を算出する手段（算出手段）として動作する。
【００６０】
例えば、エネルギ使用量をＥｔ、エネルギ使用量Ｅｔの計測時刻（計測時間）をＴｔ、区画ｎ（ｎ＝１，２，３，４，５，６）の出入時刻（出入時間）をＴｉｎとした場合、区画ｎの在室時の単位時間あたりのエネルギ使用量Ｅｉｎ及び不在時の単位時間あたりのエネルギ使用量Ｅｏｎは、
0003948974.tif 000002
を満たす。
【００６１】
エネルギ使用量Ｅｔを、２４時間単位で求める場合（Ｔｔ＝２４ｈ）、１日毎に上述した式が得られ、１２日分の式より、単位時間あたりのエネルギ使用量Ｅｉｎ，Ｅｏｎ（ｎ＝１〜６）を算出することができる。
【００６２】
制御部４０は、区画毎に算出した在室者の有無別の単位時間あたりのエネルギ使用量を、記憶部３６に記憶し、第１の実施の形態と同様に、通信部３８から管理サーバ１０へ送信する。
【００６３】
診断結果に関しては、例えば、エネルギ使用量が平均を超えている区画に対しては、消費エネルギの大きい機器の交換を提案し、不在時にエネルギ使用量が平均を超えている区画に対しては、消し忘れの注意又は待機時のエネルギ消費の削減を提案すること等ができる。
【００６４】
（第３の実施の形態）
上述した第１及び第２の実施の形態においては、部屋毎に在室者（人体）の有無を検出しているが、顧客宅の在宅又は不在を検出し、顧客宅の在宅／不在別のエネルギ使用量を計測することもできる。
【００６５】
エネルギ使用量計測装置は、図４に示すように、第１の実施の形態と同様の構成であるが、センサ２８は、例えば玄関等の出入口部分のみに設置してもよく、記憶部３６には、例えば図５（ａ）に示すように、在宅／不在が変化する都度、エネルギ使用量が記憶される。すなわち、第１の実施の形態において、センサを１つとした構成にほぼ相当する。第１の実施の形態と同様にして、在宅時及び不在時のエネルギ使用量を計測し、診断を行うことができる。
【００６６】
（第４の実施の形態）
また、第３の実施の形態において、第２の実施の形態と同様に、エネルギ使用量及び出入時刻を計測し、計測結果から在宅／不在別のエネルギ使用量を算出することもできる。
【００６７】
エネルギ使用量計測装置は、図４に示した第３の実施の形態と同様の構成であるが、記憶部３６には、図５（ｂ）に示すように、在宅／不在に基づいた出入時刻が記憶され、また計測器２６で計測されたエネルギ使用量及び該エネルギ使用量の計測時刻が記憶される。制御部４０は、記憶したエネルギ使用量、計測時刻及び出入時刻に基づいて、在宅／不在別のエネルギ使用量を算出する。
【００６８】
例えば、エネルギ使用量をＥｔ、エネルギ使用量Ｅｔの計測時刻（計測時間）をＴｔ、出入時刻（出入時間）をＴｉとした場合、在宅時の単位時間あたりのエネルギ使用量Ｅｉ及び不在時の単位時間あたりのエネルギ使用量Ｅｏは、
Ｅｔ  ＝  Ｅｉ×Ｔｉ  ＋  Ｅｏ×（Ｔｔ−Ｔｉ）
を満たす。
【００６９】
エネルギ使用量Ｅｔを、２４時間単位で求めた場合（Ｔｔ＝２４ｈ）、１日毎に上述した式が得られ、２日分の式より、単位時間あたりのエネルギ使用量Ｅｉ，Ｅｏを算出することができる。
【００７０】
上述した実施の形態においては、各区画の在室者（人体）の有無別のエネルギ使用量の算出をコントローラ３０で行ったが、例えばコントローラ３０で計測器２６及びセンサ２８からエネルギ使用量、計測時刻、出入時刻等のデータを収集し、収集したデータを管理サーバ１０へ送信し、管理サーバ１０で各区画の在室者の有無別のエネルギ使用量を算出することもできる。この場合、管理サーバ１０のＣＰＵ１１，ＲＡＭ１４及びハードディスク１３，通信手段１５，入力手段１６，出力手段１７は、夫々コントローラ３０の制御部４０，記憶部３６，通信部３８，入力部３２，出力部３４として動作する。
【００７１】
また、上述した実施の形態においては、センサ２８を用いて在室者（人体）の有無を検出したが、例えば部屋の入口にＩＣカード又は指紋認識等の認証装置（識別手段）が設置されている場合は、認証装置によって、在室者の有無と、在室者の識別を行うことができる。例えば図６に示すように、各部屋（部屋Ａ，Ｂ，Ｃ，Ｄ，Ｅ，Ｆ）の入口に認証装置２９（認証装置Ａ，Ｂ，Ｃ，Ｄ，Ｅ，Ｆ）を設け、図７に示すように、在室者の有無に加えて、在室者の識別ＩＤ（ＩＤ０１〜ＩＤ０５）を記憶部３６に記憶することができる。
【００７２】
在室者の識別ＩＤを記憶することにより、在室者の有無別のエネルギ使用量と同様に、在室者別のエネルギ使用量を制御部４０で算出することができる。また、例えば時刻Ｔ３〜Ｔ５の部屋Ｄに示すように、部屋に居る入数を検出することができる。人数を検出することにより、単位人数のエネルギ使用量を求めることができる。
【００７３】
また、例えばガス又は水道等は、使用できる部屋が限られているため、ガス又は水道の有無を予め登録しておくことにより、部屋に無いガス又は水道等のエネルギ使用量の記憶を省略することができる。
【００７４】
また、エネルギ使用量が在宅時間に比例すると仮定できる場合は、在宅時刻と該在宅時刻に対応する計測時刻のエネルギ使用量とを用いて、最小２乗法より回帰直線を求め、在宅時刻がゼロとなるエネルギ使用量を不在時のエネルギ使用量と見なすことができる。
【００７５】
【発明の効果】
第１発明によれば、人体の有無が変化する都度、エネルギ使用量を記憶し、人体の有無の変化によるエネルギ使用量の変化量を算出して記憶することにより、分割区画別のエネルギ使用量を計測することができる。
【００７６】
第２発明によれば、エネルギ使用量及び計測時刻と分割区画毎の人体の検出時刻とを記憶し、記憶したエネルギ使用量及び計測時刻と検出時刻とに基づいて、各分割区画の人体の有無別のエネルギ使用量を算出して記憶することにより、各分割区画の人体の有無別のエネルギ使用量を計測することができる。
【００７９】
第３発明によれば、各分割区画の人体の有無が変化する都度、エネルギ使用量を使用量記憶手段に記憶し、人体の有無の変化によるエネルギ使用量の変化量を算出手段で算出することにより、分割区画別のエネルギ使用量を計測することができる。
【００８０】
第４発明によれば、使用量記憶手段にエネルギ使用量及び計測時刻を記憶し、検出時刻記憶手段に分割区画毎の人体の検出時刻を記憶し、記憶したエネルギ使用量及び計測時刻と検出時刻とに基づいて、各分割区画の人体の有無別のエネルギ使用量を算出手段で算出することにより、各分割区画の人体の有無別のエネルギ使用量を計測することができる。
【００８１】
第５発明によれば、計測手段から出力された計測信号及び検出手段から出力された検出信号に基づいて、第３又は第４発明のいずれかのエネルギ使用量計測装置により、計測領域又は各分割区画の人体の有無別のエネルギ使用量を計測することができる。
【００８２】
第６発明によれば、識別手段で人体を識別することにより、人体別又は単位人数のエネルギ使用量を計測することができる。
【００８３】
第７発明によれば、検出手段として、計測領域又は分割区画への侵入者を検出する防犯用センサを用いることにより、防犯用センサが既設の場合に低コストかつ容易に本発明のエネルギ使用量計測システムを導入することができる。
【００８４】
第８発明によれば、第５〜第７発明のいずれかのエネルギ使用量計測システムで計測領域又は各分割区画の人体の有無別のエネルギ使用量を計測し、計測したエネルギ使用量を診断装置で受付けて診断することにより、計測領域又は各分割区画の人体の有無別に、エネルギ使用量を診断することができる。
【図面の簡単な説明】
【図１】本発明に係るエネルギ使用量計測装置及びシステムの例を示す図である。
【図２】本発明に係るエネルギ使用量診断システムの例を示す図である。
【図３】エネルギ使用量及び出入時刻の計測の例を示す図である。
【図４】本発明に係るエネルギ使用量計測装置及びシステムの他の例を示す図である。
【図５】エネルギ使用量及び出入時刻の計測の他の例を示す図である。
【図６】本発明に係るエネルギ使用量計測装置及びシステムの更に他の例を示す図である。
【図７】エネルギ使用量及び出入時刻の計測の更に他の例を示す図である。
【符号の説明】
１０  管理サーバ（診断装置）
２６  計測器（計測手段）
２８  センサ（検出手段）
２９  認証装置（識別手段）
３０  コントローラ（エネルギ使用量計測装置）
３６  記憶部（使用量記憶手段、検出時刻記憶手段）
４０  制御部（算出手段）
【図１】
0003948974.tif 000003
【図２】
0003948974.tif 000004
【図３】
0003948974.tif 000005
【図４】
0003948974.tif 000006
【図５】
0003948974.tif 000007
【図６】
0003948974.tif 000008
【図７】
0003948974.tif 000009